(57)【特許請求の範囲】
【請求項１】
光回線端末（OLT）が光ネットワークユニット（ONU）へ時間同期化を実行するパッシブ光ネットワークにおける時間同期化方法であって、
前記光回線端末（OLT）と前記光ネットワークユニット（ONU）の間で管理通路により時間情報を転送し、
前記時間情報は、前記光回線端末（OLT）及び前記光ネットワークユニット（ONU）の間の伝送ディレーと、時間情報の送信時刻標識情報とを含み、
前記光ネットワークユニット（ONU）は、前記時間情報に基づいて、前記光回線端末（OLT）との間の時間オフセットを計算して、前記光回線端末（OLT）との時間同期化を行うことを特徴とするパッシブ光ネットワークにおける時間同期化方法。
【請求項２】
前記管理通路は、物理層オペレーション管理及び保守（PLOAM）メッセージ通路であり、前記時間情報の送信時刻標識情報は、PLOAMメッセージの送信時刻であることを特徴とする請求項１に記載の方法。
【請求項３】
前記管理通路は、光ネットワークユニット管理制御インターフェース（OMCI）メッセージ通路であり、前記時間情報の送信時刻標識情報は、時間同期化をトリガするフレームの送信時刻及び前記フレームの番号であることを特徴とする請求項１に記載の方法。
【請求項４】
前記光ネットワークユニット（ONU）と前記光回線端末（OLT）の間の時間オフセットは、前記時間情報の送信時刻と前記伝送ディレーとの和値と、前記光ネットワークユニット（ONU）ローカル時間との差値であることを特徴とする請求項１に記載の方法。
【請求項５】
前記伝送ディレーは、パッシブ光ネットワークシステムの距離計測部で得られ、或いは、PLOAMメッセージ通路でIEEE1588プロトコルを模擬して計測して得られることを特徴とする請求項１又は請求項４に記載の方法。
【請求項６】
上位装置との時間同期化を実現する光回線端末時間同期化受信処理モジュールと、
光回線端末（OLT）と光ネットワークユニット（ONU）の間の伝送ディレーを計算し、管理通路で、前記光回線端末（OLT）及び前記光ネットワークユニット（ONU）の間の伝送ディレーと、時間情報の送信時刻標識情報とを含む時間情報を光ネットワークユニット（ONU）へ転送する光回線端末時間情報送信モジュールと、
前記光回線端末（OLT）が送信した時間情報を受信し、前記時間情報を基づいて前記光回線端末（OLT）との間の時間オフセットを計算し、前記光回線端末（OLT）との時間同期化を行う光ネットワークユニットの時間同期受信処理モジュールと
を含むことを特徴とするパッシブ光ネットワークにおける時間同期化システム。
【請求項７】
前記光回線端末時間情報送信モジュールは、PLOAMメッセージ通路で前記時間情報を光ネットワークユニット（ONU）へ転送し、前記時間情報の送信時刻標識情報は、PLOAMメッセージの送信時刻であることを特徴とする請求項６に記載のシステム。
【請求項８】
前記光回線端末時間情報送信モジュールは、OMCIメッセージ通路で前記光ネットワークユニット（ONU）へ前記時間情報を転送し、前記時間情報の送信時刻標識情報は、時間同期化をトリガするフレームの送信時刻及び前記フレームの番号であることを特徴とする請求項６に記載のシステム。
【請求項９】
前記時間オフセットは、前記時間情報の送信時刻と前記伝送ディレーとの和値と、前記光ネットワークユニット（ONU）ローカル時間との間の差値であることを特徴とする請求項６に記載のシステム。
【請求項１０】
前記伝送ディレーは、パッシブ光ネットワークシステムの距離計測部で得られ、或いは、PLOAMメッセージ通路でIEEE1588プロトコルを模擬して計測して得られることを特徴とする請求項６〜９のいずれかの1つに記載のシステム。
【発明の詳細な説明】
【技術分野】
【０００１】
本発明はパッシブ光ネットワーク技術分野に関し、具体的に、パッシブ光ネットワークシステムの時間同期化方法及びその同期化システムに関する。
【背景技術】
【０００２】
通信システムにおける時間同期とは、通信装置の時間が世界時間とマッチングすることを指し、フェーズ同期とも言われる。
【０００３】
通信ネットワーク、特に無線装置は、通信システム間の同期が要求される。表１には、無線装置の同期における具体的な条件が示されている。
【０００４】
【表１】
0005314768.tif 000002
【０００５】
パッシブ光ネットワーク（PON：Passive Optical Network））技術はポイントツーマルチポイントの光アクセス技術であり、オフィス側の光回線端末（OLT：Optical Line Terminal）と、ユーザー側の光ネットワークユニット（ONU：Optical Network Unit：）と、光分配ネットワーク（ODN：Optical Distribution Network）とで構成される。
【０００６】
パッシブ光ネットワーク（PON）はいくつかのタイプがあり、大まかに、波長分割PONと、パワーPONと、この二種類が組み合わされた混合PONとに分類される。パワーPONは、リンク層のプロトコルによって、非同期転送モードパッシブ光ネットワークAPON（ATM Passive Optical Network）と、ギガビットパッシブ光ネットワーク（GPON ：Gigabit Passive Optical Network）と、イーサネットパッシブ光ネットワーク（EPON：Ethernet Passive Optical Network）とに分類される。
【０００７】
パワーPONについて、一般的に、そのダウンリンクは時分割多重（TDM：Time Division Multiplex）の放送形式を採用し、アップリンクは時分割多重アクセス（TDMA：Time Division Multiple Access）の形式を採用し、そして、柔軟にツリー型、スター型、バス型、その他のトポロジー構造（典型的にはツリー型構造とされる）を構成することができる。
【０００８】
いわゆる混合PONとは、一つのODNネットワークにおいて、同時に異なる周波数を採用する複数のパワーPONが存在することを指す。
【０００９】
パッシブ光ネットワーク（PON）は、アクセス部のベアラネットワークに用いられる。図１は、移動通信分野におけるパッシブ光ネットワーク（PON）のネットワーク構築及びクロック伝送を示す図である。図１には、移動通信におけるPONの典型的なネットワーク構築が示されている。PONは、２つのタスクの伝送（サービスストリーム伝送及びクロック同期伝送）を達成しなければならない。図１においては、クロックストリームの伝送と分配形式を示す。
【００１０】
パッシブ光ネットワーク（PON）プロトコルは、いわば、周波数の同期化を実現しただけであり、即ち光ネットワークユニット（ONU）は、光回線端末（OLT）と同期するが、各光ネットワークユニット（ONU）間の位相差はばらつき、即ち時間同期化をサポートできないので、移動通信または時間同期化の必要なネットワーク運用に用いることができない。
【００１１】
IEEE1588は、ネットワーク装置の間の時間同期化を実現できる。
１）IEEE1588では、ネットワークの対称である特性の仮定に基づいて、主従形式を採用し、パケットにタイム‐スタンプを標識し、周期的にクロックを分配し、受け側がクロックのオフセットとディレーを計測する。
２）IEEE1588では、ポイントツーポイントのリンクは高い精度を提供でき、境界クロックを導入し、ディレージッターに関わらず、ホップごとに、10［ns］の時間的な正確度を達成することができる。
３）IEEE1588では、周波数と時間の同期化を実現できる。
【００１２】
以下、その詳細な実現原理説明する。図２はIEEE1588プロトコルの実現原理を示す図である。
１）仮に、Master（主）とSlave（従）装置の間の時間差をOffsetとする。
２）時刻T1にMaster装置がSlave装置へタイム‐スタンプ付きの同期パッケージを送信し、Slave装置がそのローカルの時刻T2に同期メッセージを受信する。この場合、以下のような方程式を立てることができる。式（１）中、Delayは同期メッセージのMaster装置からSlave装置への伝送時のディレーである。
T2=T1+Delay +Offset-------------------（１）
３）Master装置がSlave装置へFollow up(追跡)メッセージを送信する。
４）Slave装置がローカルの時刻T3にMaster装置へDelay＿Req(ディレー要求)メッセージを送信する。
５）Master装置がローカルの時刻T4にSlave装置へDelay Resp（ディレー応答）メッセージを送信する。この場合、以下のような方程式を立てることができる。
T4=T3+Delay -Offset----------------（２）
６）方程式（１）と方程式（２）を結合してOffsetの値を求めることができる。
７）Master装置とSlave装置との間で、Sync（同期）メッセージと、Follow up（追跡）メッセージと、Delay Req(ディレー要求)メッセージと、Delay Resp(ディレー応答)メッセージとが周期的に送信されれば、動的にOffset値を更新でき、これにより、Slave装置のMaster装置に対する時間的な同期が保たれる。
８）Master装置とSlave装置との間で、10［ns］の時間的な正確度を獲得できる。
【００１３】
以上の説明によって分かるように、IEEE1588プロトコルはネットワークの対称である特性の仮定に基づいている。即ち、Master装置からSlave装置へのディレーとジッターが、Slave装置からMaster装置へのディレーとジッターと同じで、かつリンクのジッターの強さが時間同期化の精度を直接に決定する。
【００１４】
ギガビットパッシブ光ネットワーク（GPON）は、ITU G.984.1〜4が規定されたPONであり、イーサネットサービスに対する搬送は、図3に示すようなGPONネットワークがイーサネットプロトコルパッケージを搬送するプロトコルスタックを採用する。搬送効率を向上させるために、ギガパッシブ光ネットワークカプセル化方法（GEM：GPON Encapsulation Method））層は、上層サービスデータストリームに対してパッケージを切り分けし新たに組合せることで、上層データストリームの一つのメッセージをできるだけ多くのパーツに切り分け、パーツごとが定まっていない異なる時点で送信され、受信側はデータパッケージのすべてのパーツが揃ったかどうかをチェックし、揃ったら組合せて、完備な上層データメッセージを回復させる。しかし、上層データメッセージにとって、ギガビットパッシブ光ネットワーク（GPON）はディレーが変化するネットワークであり、即ち、ジッターが大きくて、IEEE1588プロトコルは、直接にGPONネットワーク上に運行できない。従って、パッシブ光ネットワークにおいて、光ネットワークユニット（ONU）が光回線端末（OLT）に正確に時間同期することが保証できない。
【００１５】
本技術に関連する技術としては、以下の文献が挙げられる。
【先行技術文献】
【特許文献】
【００１６】
【特許文献１】中国特許出願公開第１０１１４５８４６号明細書
【特許文献２】中国特許出願公開第１０１２２７２３６号明細書
【特許文献３】韓国特許出願公開第２００４００６３４５３号明細書
【特許文献４】欧州特許出願公開第１３３００７７号明細書
【発明の概要】
【発明が解決しようとする課題】
【００１７】
そこで、本発明は、上記問題に鑑みてなされたものであり、本発明の目的とするところは、パッシブ光ネットワークにおいて、光ネットワークユニット（ONU）が時光回線端末（OLT）に正確に時間同期化できない問題を解決するために、パッシブ光ネットワークシステムの時間同期化方法を提供することにある。
【課題を解決するための手段】
【００１８】
光線路端末（OLT）が光ネットワークユニット（ONU）へ時間同期を実行するパッシブ光ネットワークにおける時間同期化方法であって、
前記OLTと前記ONUの間に管理通路で時間情報を転送し、
前記時間情報は、前記OLTと前記ONUの間の伝送ディレー及び時間情報の送信時刻標識情報を含み、
前記ONUは、前記時間情報に基づいて、前記OLTとの間の時間オフセットを計算して、前記OLTとの時間同期化を行う。
【００１９】
更に、前記管理通路は物理層オペレーション管理及び保守（PLOAM）メッセージ通路で、前記時間情報の送信時刻標識情報はPLOAMメッセージの送信時刻である。
【００２０】
更に、前記管理通路は光ネットワークユニット管理制御インターフェス（OMCI）メッセージ通路で、前記時間情報の送信時刻標識情報は時間同期化をトリガするフレームの送信時刻及び当該フレームの番号である。
【００２１】
更に、前記ONUと前記OLTの間の時間オフセットは、前記時間情報の送信時刻と前記伝送ディレーとの和値と、前記ONUローカル時間との差値である。
【００２２】
更に、前記情報伝送ディレーは前記パッシブ光ネットワークシステムの距離計測機能で得られ、或いは、PLOAMメッセージ通路でIEEE1588プロトコルを模擬して計測して得られる。
【００２３】
また、上記方法に基づいて、本発明はパッシブ光ネットワークにおける時間同期化システムを提供することにある。
上位装置との時間同期化を実現する光回線端末時間同期化受信処理モジュールと、
OLTとONUの間の伝送ディレーを計算し、管理通路で、前記OLTと前記ONUの間の伝送ディレー及び前記時間情報の送信時刻標識情報を含む時間情報をONUへ転送する光回線端末時間情報送信モジュールと、
OLTが送信した時間情報を受信し、前記時間情報を基づいて前記OLTとの間の時間オフセットを計算し、前記OLTとの時間同期化を行う光ネットワークユニットの時間同期受信と処理モジュールと
を含むパッシブ光ネットワークにおける時間同期化システム。
【００２４】
更に、前記光回線端末時間情報送信モジュールは、PLOAMメッセージ通路で前記時間情報をONUへ転送し、前記時間情報の送信時刻標識情報がPLOAMメッセージの送信時刻である。
【００２５】
更に、前記光回線端末時間情報送信モジュールは、OMCIメッセージ通路で前記ONUへ前記時間情報を転送し、前記時間情報の送信時刻標識情報が時間同期化をトリガするフレームの送信時刻及び当該フレームの番号である。
【００２６】
更に、前記時間オフセットは、前記時間情報の送信時刻と前記伝送ディレーの和値と、前記ONUローカル時間との間の差値である。
【００２７】
更に、前記情報伝送ディレーは、前記パッシブ光ネットワークシステムの距離計測機能で得られ、或いは、PLOAMメッセージ通路でIEEE1588プロトコルを模擬して計測して得られる。
【発明の効果】
【００２８】
本発明はGPONが特有のPLOAMメッセージ通路またはOMCIメッセージ通路を利用して、PON部における時間の転送を実現する。PON部におけるPLOAMメッセージ又はOMCIメッセージの伝送は、部分に切り分けられないから、従って、GPONネットワークが上層プロトコルデータ報告ディレーの固定しない特性による技術の不備を避けられ、各ONUがOLTにと正確に同期化できることを保証する。
【図面の簡単な説明】
【００２９】
【図１】移動通信分野におけるPONのネットワーク構築及びクロック伝送を示す図である。
【図２】IEEE1588プロトコルの実現原理を示す図である。
【図３】GPONネットワークがイーサネットプロトコルパッケージを運ぶプロトコルスタックである。
【図４】本発明における実施例に係るパッシブ光ネットワークにおける時間の同期化方法のフローチャートである。
【図５】本発明における実施例に係るパッシブ光ネットワークにおける時間の同期化システムのブロック図である。
【図６】本発明における最適な実施例のパッシブ光ネットワークにおける時間の同期化方法のフローチャートである。
【発明を実施するための形態】
【００３０】
以下、図面を参考しながら、実施形態とともに本発明を詳しく説明する。
【００３１】
図４は、本実施形態に係るパッシブ光ネットワークにおける時間の同期化方法のフローチャートを示す図である。本実施形態において、パッシブ光ネットワークにおける時間の同期化方法が提供される。当該方法には、光回線端末（OLT）で光ネットワークユニット（ONU）へ時間同期を実行し、さらに、以下のようなステップを含む。
【００３２】
ステップ401、光回線端末（OLT）と光ネットワークユニット（ONU）との間で管理通路により時間情報を転送する。
【００３３】
上記時間情報は光回線端末（OLT）と光ネットワークユニット（ONU）との間の伝送ディレー（Delay）を含み、当該伝送ディレーはパッシブ光ネットワーク（PON）システムの距離計測部で得られ、又はIEEE1588プロトコルの同じ情報を含むPLOAM（Physical Layer Operation administration Maintenance：物理層オペレーション管理および保守）メッセージ、を用いて、IEEE1588プロトコルを模擬して計測して得られる。
【００３４】
上記管理通路は、PLOAMメッセージ通路であってもよい、或いは、光ネットワークユニット管理制御インターフェース（ONU Management and Control Interface：OMCI）メッセージ通路を使ってもよい。
【００３５】
ステップ402、演算により光回線端末（OLT）と光ネットワークユニット（ONU）との間の時間オフセット（Offset）を得る。
【００３６】
ステップ403、光ネットワークユニットで受信した時間情報を使って、光回線端末と周波数及び時間の同期化を行う。
【００３７】
（１）上記管理通路にPLOAMが用いられた場合、上記時間情報には、PLOAMメッセージの送信時刻、即ち、PLOAMメッセージが送信されたときの光回線端末（OLT）のローカル時間がさらに含まれる。光ネットワークユニット（ONU）は、受信したPLOAMメッセージに含まれていたPLOAMメッセージの送信時刻と、伝送ディレー、或いは、演算で得た伝送ディレーの情報とに基づいて、光回線端末（OLT）と光ネットワークユニット（ONU）との間の時間オフセット（Offset）を計算して得て、当該オフセット値より周波数と時間の同期化を行う。
【００３８】
上記PLOAMメッセージには秒とナノ秒の情報が含まれる。上記時間情報付きのPLOAMメッセージは定期的に送信される必要がある。
【００３９】
（２）上記管理通路に光ネットワークユニット管理制御インターフェース（OMCI）が用いられた場合、上記時間情報には、光回線端末（OLT）が送信した時間同期をトリガしたフレームの送信時刻と、当該フレームの番号とが含まれる。光ネットワークユニット（ONU）は、時間同期をトリガしたフレームを受信した後、当該フレームの送信時刻及び伝送ディレーに基づいて、光回線端末（OLT）と光ネットワークユニット（ONU）の間の時間オフセット（Offset）を算出し、当該オフセット値より周波数と時間の同期化を行う。
【００４０】
本実施形態に係る同期化方法では、光回線端末（OLT）で光ネットワークユニット（ONU）へPLOAM形式のメッセージを送信する前に、IEEE1588プロトコルの方法を採用して光回線端末と光回線端末の上位装置との間で時間同期化が実行されてもよい。
【００４１】
本実施形態に係る同期化方法では、IEEE1588プロトコルの方法を採用して光ネットワークユニット（ONU）と光ネットワークユニット（ONU）の下位装置との間で時間同期化が実行される。従って、光ネットワークユニット（ONU）に接続された下位の装置と、光回線端末に接続された上位ネットワークとの間の時間同期化が保証され、パッシブ光ネットワーク部において、時間の中継伝送が実現される。
【００４２】
本実施形態では、IEEE1588クロックプロトコルは、光回線端末（OLT）及び光ネットワークユニット（ONU）の間と、光ネットワークユニット（ONU）及び下位装置の間との間で動作し、時間の転送は、光回線端末（OLT）及び光ネットワークユニット（ONU）の光パッシブネットワーク（PON）部において、光回線端末（OLT）と光ネットワークユニット（ONU）との間のPLOAM形式のメッセージが定期的に使用されることで実現される。本実施形態は、光パッシブネットワーク（PON）部に適用することができ、上位装置及び光回線端末（OLT）の間と、下位装置及び光ネットワークユニット（ONU）の間とで、時間同期化を実行する。
【００４３】
本実施形態では、ギガビットパッシブ光ネットワーク（GPON）の固有PLOAMメッセージ通路又はOMCIメッセージ通路を利用して、パッシブ光ネットワーク（PON）部で時間の伝送を実現する。PLOAMメッセージ又はOMCIメッセージは、その伝送の間は、切り分けられない。PLOAMメッセージは、上層プロトコルデータメッセージの定まっていないディレーのGPON特性を避けるために、全体として送信される。時間の同期転送は、パッシブ光ネットワーク（PON）において実現され、各光ネットワークユニット（ONU）が同じ時間を持つことを保証する。光ネットワークユニット（ONU）と、ONUの下位装置との間で標準のIEEE1588プロトコルが用いられると、光ネットワークユニット（ONUは、時間を正確に下位装置に転送でき、各ONUのダウンリンクする装置の間も同じ時間を持つことを保証する。
【００４４】
図５は、本実施形態に係るパッシブ光ネットワークにおける時間同期化システムのブロック図である。当該システムは、光回線端末時間同期受信処理モジュールと、光回線端末時間情報送信モジュールと、時間情報を転送する光フェバーシステムと光ネットワークユニットの時間同期受信と処理モジュールと、を含む。
【００４５】
光回線端末（OLT）時間同期受信処理モジュールは、上位装置との時間同期化を実現し、上位装置が送信する時間情報に基づいてローカルの時間を調整することで、光回線端末（OLT）の時間を正確に上位装置と同期させる。
【００４６】
光回線端末（OLT）時間情報送信モジュールは、光回線端末（OLT）から光ネットワークユニット（ONU）までの伝送ディレーを演算し、管理通路を介して時間情報を転送する。光回線端末（OLT）は、光回線端末（OLT）から光ネットワークユニット（ONU）までの伝送ディレーを演算するための情報を光ネットワークユニット（ONU）へ送信し、光ネットワークユニット（ONU）が、光回線端末（OLT）から光ネットワークユニット（ONU）までの伝送ディレーを演算する。
【００４７】
管理通路は、PONシステム物理層オペレーション管理及び保守（PLOAM）メッセージを使って、時間情報を運ぶこともできる。当該方式下の時間情報は、PLOAMメッセージの送信時刻と、光回線端末（OLT）及び光ネットワークユニット（ONU）の間の伝送ディレーとを含む。或いは、時間情報は、伝送ディレーを計算して得るための情報を含む。
さらに、管理通路は、GPONシステムのOMCI通路が使用されてもよい。当該方式下の時間情報は、光回線端末（OLT）及び光ネットワークユニット（ONU）の間の伝送ディレーと、光回線端末（OLT）が送信した時間同期をトリガしたフレームの送信時刻と、当該フレームの番号とを含む。
【００４８】
時間情報を伝送する光ファイバーシステムは、ポイントツーマルチポイントの光ファイバーシステムであり、時間情報を搬送する物理媒体である。
【００４９】
光ネットワークユニット（ONU）の時間同期受信処理モジュールは、OLTが送信した時間情報を受信し、時間情報に基づいて光回線端末（OLT）と光ネットワークユニット（ONU）の間の時間オフセット値を算出して、ローカルのONU時間を同期させる。
【００５０】
本実施形態は、光回線端末（OLT）と光ネットワークユニット（ONU）の間で周期的に時間情報が含まれる時間同期メッセージを送信する方法を採用するので、パッシブ光ネットワーク（PON）において、光ネットワークユニット（ONU）が正確に光回線端末（OLT）と時間的に同期することを保証できない問題を克服して、パッシブ光ネットワークにおける時間同期化を達成する。
【００５１】
図６は、本発明の好ましい実施形態に係るパッシブ光ネットワークにおける時間の同期化方法のフローチャートである。本実施形態に係る光パッシブネットワーク（PON）時間同期化原理の実現方法は、具体的に、以下の内容を含む。
【００５２】
光回線端末（OLT）と、光回線端末（OLT）に接続された装置の間に標準のIEEE1588プロトコルを用い、上位装置がMasterモードで動作し、光回線端末（OLT）がSlaveモードで動作し、光回線端末（OLT）が時間的に正確に上位装置と同期する。
【００５３】
仮に「上位装置」と光回線端末（OLT）との間の時間オフセットをOffsetとする。
時刻T1に「上位装置」が光回線端末（OLT）へタイムスタンプ付きの同期（Sync）メッセージを送信し、光回線端末（OLT）がそのローカル時刻T2に同期メッセージを受信する。この場合、以下のような方程式が立てられる。式（１）中、Delayは、「上位装置」から光回線端末（OLT）への同期メッセージの伝送ディレーである。
T2=T1+Delay +Offset ---------------（１）
【００５４】
「上位装置」が光回線端末（OLT）へFollow_upメッセージを送信する。
光回線端末（OLT）がローカル時刻T3に「上位装置」へDelay_Req（ディレー要求）メッセージを送信する。
「上位装置」がそのローカル時刻T4に光回線端末（OLT）へDelay_Resp（ディレー応答）メッセージを送信する。以下のような方程式が立てられる。
T4=T3+Delay -Offset----------------（２）
方程式（１）と方程式（２）と結合してOffset値を求めることができる。
【００５５】
「上位装置」と光回線端末（OLT）の間でSync、Follow_up、Delay_ReqとDelay_Respメッセージを周期的に送信すれば、動的にOffset値を更新できる。
光回線端末（OLT）における時間オフセット（Offset）の動的かつリアルタイムの補正は、光回線端末（OLT）と「上位装置」との時間的な同期化を実現できる。
【００５６】
光回線端末（OLT）が同時に２台の「上位装置」と接続された場合、マスター及びバックアップのクロック源を実現でき、ネットワークの信頼性を提供し、マスター及びバックアップのクロック源の選択は、IEEE1588プロトコルによって実現される。
【００５７】
光回線端末（OLT）と光ネットワークユニット（ONU）の間に標準のIEEE1588プロトコルを使用しない。光回線端末（OLT）は、クロックのMasterモードで動作し、光ネットワークユニット（ONU）は、Slaveモードで操作し、光ネットワークユニット（ONU）が時間的に正確に光回線端末（OLT）と同期する。
【００５８】
PLOAM通路が用いられた場合において、時刻T1に光回線端末（OLT）が光ネットワークユニット（ONU）へタイムスタンプ付きの同期PLOAMメッセージを送信し、光ネットワークユニット（ONU）がそのローカル時刻T2に同期PLOAMメッセージを受信したとする。光回線端末（OLT）が光ネットワークユニット（ONU）へ送信するメッセージには、時刻T2（T2=T1+Delay）が含まれ、そして、光回線端末（OLT）と光ネットワークユニット（ONU）の間の時間オフセット（Offset）は、光ネットワークユニット（ONU）ローカルクロックとT2の間の差であり、光ネットワークユニット（ONU）は、Offset値に基づいてローカルクロックを調整する。
【００５９】
OMCI通路が用いられた場合、時間同期フレームの送信時間T1が算出され、光ネットワークユニット（ONU）が、ローカル時刻T2において、対応するフレームを受信すれば、光ネットワークユニット（ONU）がこのフレーム番号を受信した時、時刻T2（T2=T1+Delay）にローカル時間の同期化をトリガする。そして、光回線端末（OLT）と光ネットワークユニット（ONU）の間の時間オフセット（Offset）は、光ネットワークユニット（ONU）ローカルクロックとT2の間の差であり、光ネットワークユニット（ONU）は、Offset値に基づいてローカルクロックを調整する。
【００６０】
Delayは、GPONの固有の距離計測方式で得られる。Delayは、IEEE1588プロトコルを模擬する方式でも得られ、即ち、PLOAMメッセージによりIEEE1588のディレー計測過程を模擬して、具体的な方法はIEEE1588のポイントツウポイントのリンクを計測する方法と同じである。
【００６１】
各光ネットワークユニット（ONU）がすべて光回線端末（OLT）と同期すれば、各光ネットワークユニット（ONU）間で時間の正確な同期化が実現される。
光ネットワークユニット（ONU）と「下位装置」の間で標準のIEEE1588プロトコルを用いれば、「下位装置」が時間的に正確に光ネットワークユニット（ONU）と同期を取れる。移動通信分野で「下位装置」は基地局である。
【００６２】
本実施形態に係る同期化方法では、時間精度を保証するために、転送時間のプロトコルメッセージはすべてハードウェアで送受信される。
【００６３】
当業者にとっては、上記本発明の各モジュール又は各ステップが汎用計算装置により実現できるし、それらが独立の計算装置に集中してもよいし、または、複数の計算装置からなるネットワークに配布してもよい。それらは計算装置が実行可能のプログラムコードにより実現することが好ましい。従って、それらを保存装置に保存されて計算装置で実行されて、または、それらの複数の各集積回路モジュールを製作されてもよい、それらの中に複数のモジュール又はステップを独立の集積回路モジュールを製作されて実現してもよい。このように、本発明がいかなる特定ハードウェアとソフトウェアの組み合わせることを制限ではない。
【００６４】
以上、本発明の最適な実施例だけであり、本発明に限定するものではない。当業者にとっては、本発明が各々の更改と変化することができる。本発明は、本発明の趣旨及び範囲を逸脱することなく実施された何ら修正、同一入れ替え及び改良等、すべて本発明の保護範囲に属する。
【図１】
0005314768.tif 000003
【図２】
0005314768.tif 000004
【図３】
0005314768.tif 000005
【図４】
0005314768.tif 000006
【図５】
0005314768.tif 000007
【図６】
0005314768.tif 000008